【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
回転駆動される像担持体と、
前記像担持体上に第１色のトナーを用いて第１画像を形成する第１の画像形成部と、
前記像担持体上に前記第１色のトナーよりも反射率が低い第２色のトナーを用いて第２画像を形成する第２の画像形成部と、
前記第１の画像形成部および前記第２の画像形成部を制御して、第１色のパターン画像の上に第２色のパターン画像を所定の間隔だけ離して重ねた測定用画像を前記像担持体上に形成させる制御手段と、
前記像担持体に向けて光を照射する照射手段と、
前記測定用画像からの反射光を受光する受光部を有し、前記受光部に受光された光量に基づく信号値を出力する出力手段と、
前記出力手段から出力された前記信号値と閾値とを比較し、前記比較結果に基づいて前記第１画像と前記第２画像との位置に関する情報を決定する決定手段と、
前記決定手段により決定された前記情報に基づいて前記第１画像と前記第２画像との色ずれを補正する補正手段と、
前記出力手段から出力された前記測定用画像に対応する前記信号値と前記閾値とを比較し、前記閾値を調整する調整手段と、を有することを特徴とする画像形成装置。
【請求項２】
前記制御手段は、前記調整手段が前記閾値を調整した場合には、前記第１の画像形成部および前記第２の画像形成部を制御して、前記測定用画像を新たに形成させることを特徴とする請求項１に記載の画像形成装置。
【請求項３】
前記出力手段から出力される前記信号値は、前記受光部に受光された光量が大きいほど増加し、
前記調整手段は、前記測定用画像の前記第２色のパターン画像からの反射光を前記受光部が受光した場合に前記出力手段から出力される信号値が前記閾値よりも小さくなるように、前記閾値を増加することを特徴とする請求項１又は２に記載の画像形成装置。
【請求項４】
前記調整手段が前記閾値を調整した後に、前記測定用画像の前記第２色のパターン画像からの反射光に基づき前記出力手段から出力された信号値が前記閾値よりも小さくならない場合には、前記第１画像と前記第２画像との色ずれが補正できないことを報知する報知手段を更に有することを特徴とする請求項３に記載の画像形成装置。
【請求項５】
前記調整手段が前記閾値を調整した後に、前記測定用画像の前記第２色のパターン画像からの反射光に基づき前記出力手段から出力された信号値が前記閾値よりも小さくならない場合には、前記第２の画像形成部の異常を報知する報知手段を更に有することを特徴とする請求項３又は４に記載の画像形成装置
【請求項６】
前記調整手段が前記閾値を調整した後に、前記測定用画像の前記第２色のパターン画像からの反射光に基づき前記出力手段から出力された信号値が前記閾値よりも小さくならない場合には、前記第２の画像形成部による前記第２画像の形成を禁止する禁止手段を更に有することを特徴とする請求項３乃至５のいずれか一項に記載の画像形成装置。
【請求項７】
前記出力手段から出力される前記信号値は、前記受光部に受光された光量が大きいほど増加し、
前記調整手段は、前記出力手段から出力された前記信号値が前記閾値よりも高い時間が所定時間よりも長い場合には前記閾値を増加することを特徴とする請求項１又は２に記載の画像形成装置。
【請求項８】
前記調整手段は、前記信号値が前記閾値よりも高い前記時間が前記所定時間以下となるように前記閾値を増加することを特徴とする請求項７に記載の画像形成装置。
【請求項９】
前記測定用画像は、前記第２色のパターン画像が前記第１色のパターン画像に重ねられていない領域を有し、
前記測定用画像の前記第１色のパターン画像は前記領域から露出しており、
前記所定時間は、前記像担持体の回転方向において前記領域の長さに対応した時間であることを特徴とする請求項７又は８に記載の画像形成装置。
【請求項１０】
前記調整手段が前記閾値を調整した後に、前記信号値が前記閾値よりも高い前記時間が前記所定時間よりも長い場合には、前記第１画像と前記第２画像との色ずれが補正できないことを報知する報知手段を更に有することを特徴とする請求項７乃至９のいずれか一項に記載の画像形成装置。
【請求項１１】
前記調整手段が前記閾値を調整した後に、前記信号値が前記閾値よりも高い前記時間が前記所定時間よりも長い場合には、前記第２の画像形成部の異常を報知する報知手段を更に有することを特徴とする請求項７乃至１０のいずれか一項に記載の画像形成装置。
【請求項１２】
前記調整手段が前記閾値を調整した後に、前記信号値が前記閾値よりも高い前記時間が前記所定時間よりも長い場合には、前記第２の画像形成部による前記第２画像の形成を禁止する禁止手段を更に有することを特徴とする請求項７乃至１１のいずれか一項に記載の画像形成装置。
【請求項１３】
前記比較結果は、前記信号値が前記閾値よりも低い第１の値から前記信号値が前記閾値よりも高い第２の値へ変化した第１のタイミングと、前記信号値が前記第２の値から前記第１の値へ変化した第２のタイミングとを示し、
前記決定手段は、前記第１のタイミングと前記第２のタイミングとに基づいて前記情報を決定することを特徴とする請求項１乃至１２のいずれか一項に記載の画像形成装置。
【請求項１４】
前記受光部が前記像担持体上の前記測定用画像が形成されていない領域からの反射光を受光した場合に前記出力手段から出力される信号値に基づいて、前記閾値を設定する設定手段を更に有し、
前記調整手段は、前記出力手段から出力された前記測定用画像の前記信号値と前記設定手段により設定された前記閾値とを比較し、前記設定された前記閾値を調整することを特徴とする請求項１乃至１３のいずれか一項に記載の画像形成装置。
【請求項１５】
前記領域は、前記像担持体の複数の位置を含み、
前記設定手段は、前記受光部が前記複数の領域から反射光を受光した場合に前記出力手段から出力された複数の信号値に基づいて前記閾値を設定することを特徴とする請求項１４に記載の画像形成装置。
【請求項１６】
前記設定手段は、前記複数の信号値の平均に基づいて前記閾値を設定することを特徴とする請求項１５に記載の画像形成装置。
【請求項１７】
前記制御手段は、前記第１の画像形成部に、前記像担持体上に他の測定用画像を形成させ、
前記出力手段は、前記照射手段から発せられ、前記他の測定用画像から反射された光を前記受光部が受光した場合に、前記他の測定用画像からの反射光の光量に基づき他の信号値を出力し、
前記決定手段は、前記出力手段から出力された前記信号値、前記出力手段から出力された前記他の信号値、及び、前記閾値を比較し、前記比較結果に基づいて前記情報を決定することを特徴とする請求項１乃至１６のいずれか一項に記載の画像形成装置。
【請求項１８】
前記補正手段は、前記像担持体上において前記第１の画像形成部により形成される前記第１画像の位置と、前記像担持体上において前記第２の画像形成部により形成される前記第２画像の位置との少なくとも一方を補正することを特徴とする請求項１乃至１７のいずれか一項に記載の画像形成装置。
【請求項１９】
前記受光部は、前記測定用画像からの乱反射光を受光することを特徴とする請求項１乃至１８のいずれか一項に記載の画像形成装置。
【請求項２０】
前記第１色は有彩色であり、前記第２色は無彩色であることを特徴とする請求項１乃至１９のいずれか一項に記載の画像形成装置。
【手続補正２】
【補正対象書類名】明細書
【補正対象項目名】００１３
【補正方法】変更
【補正の内容】
【００１３】
上記課題を解決するために、本願発明の画像形成装置は、回転駆動される像担持体と、前記像担持体上に第１色のトナーを用いて第１画像を形成する第１の画像形成部と、前記像担持体上に前記第１色のトナーよりも反射率が低い第２色のトナーを用いて第２画像を形成する第２の画像形成部と、前記第１の画像形成部および前記第２の画像形成部を制御して、第１色のパターン画像の上に第２色のパターン画像を所定の間隔だけ離して重ねた測定用画像を前記像担持体上に形成させる制御手段と、前記像担持体に向けて光を照射する照射手段と、前記測定用画像からの反射光を受光する受光部を有し、前記受光部に受光された光量に基づく信号値を出力する出力手段と、前記出力手段から出力された前記信号値と閾値とを比較し、前記比較結果に基づいて前記第１画像と前記第２画像との位置に関する情報を決定する決定手段と、前記決定手段により決定された前記情報に基づいて前記第１画像と前記第２画像との色ずれを補正する補正手段と、前記出力手段から出力された前記測定用画像に対応する前記信号値と前記閾値とを比較し、前記閾値を調整する調整手段と、を有することを特徴とする。